(57)【要約】角柱と嵌入式支持フレームと接続ロックとを備えた展示設備用の分割取付け式角柱組立品であって、接続ロックは嵌入式支持フレーム内に位置して取外し可能であり、嵌入式支持フレームは角柱内に位置して取外し可能であり、その角柱の外表面の少なくとも一面に接続用溝があり、複数の位置決め孔が角柱の外表面上の接続用溝部分より外側の領域に形成され、嵌入式支持フレームは、支持フレーム本体と、弾性的に付勢されたバネ式の位置決めピンと、ピン保持部とを備え、位置決めピンはピン保持部に保持され、初期状態では、位置決めピンはピン保持部から突出しており、そのピン保持部が前記支持フレーム本体に存在することによって、その嵌入式支持フレームが角柱に対し嵌入され又は離脱される際に、弾性的に付勢された位置決めピンは、前記角柱の位置決め孔を通る移動経路をたどる。【選択図】  図１
2008517191.tif 000002
【特許請求の範囲】
【請求項１】
角柱１と嵌入式支持フレーム２と接続ロック３とを備えた展示設備用の分割取付け式角柱組立品であって、
接続ロック３は嵌入式支持フレーム２内に位置して取外し可能であり、
嵌入式支持フレーム２は角柱１内に位置して取外し可能であり、その角柱１の外表面の少なくとも一面に接続用溝１１があり、
複数の位置決め孔１２が角柱１の外表面上の接続用溝１１部分より外側の領域に形成され、
嵌入式支持フレーム２は、支持フレーム本体２１と、弾性的に付勢されたバネ式の位置決めピン２２と、ピン保持部２３とを備え、位置決めピン２２はピン保持部２３に保持され、
初期状態では、位置決めピン２２はピン保持部２３から突出しており、そのピン保持部２３が前記支持フレーム本体２１に存在することによって、その嵌入式支持フレーム２が角柱１に対し嵌入され又は離脱される際に、弾性的に付勢された位置決めピン２２は、前記角柱１の位置決め孔１２を通る移動経路をたどることができることを特徴とする分割取付け式角柱組立品。
【請求項２】
バネ式の位置決めピン２２は、ピン２２１とバネ２２２とを備え、バネ２２２はピン２２１とピン保持部２３との間に配設された請求項１に記載の分割取付け式角柱組立品。
【請求項３】
支持フレーム本体２１に形成されたガイドフレーム２４と、接続ロック３を開閉する工具のための、ガイドフレーム２４に形成された複数の工具ガイド孔２４１と、工具ガイド孔２４１に対応する位置において角柱１に形成された複数の工具挿入孔１３とを備える請求項１又は２に記載の分割取付け式角柱組立品。
【請求項４】
角柱１は互いに接続された複数のプレートから構成され、それらプレートの少なくとも１枚が隣接するプレートから取外し可能な接続部を備える請求項３に記載の分割取付け式角柱組立品。
【請求項５】
取外し可能な接続部は、所定のプレートの雄ネジ孔及びもう1枚のプレートの雌ネジ孔を含む請求項４に記載の分割取付け式角柱組立品。
【請求項６】
取外し可能な接続部は、隣接するプレート上のT形溝１４１，１４２と、H形ソケット部材１４３とを含み、H形ソケット部材１４３は隣接するプレートのT字形溝１４１，１４２にまたがって挿入される請求項４に記載の分割取付け式角柱組立品。
【発明の詳細な説明】
【技術分野】
【０００１】
本発明は、一体形展示設備の取付け部品、特に分割取付け式角柱組立品に関する。
【背景技術】
【０００２】
従来技術では、角柱のガイドレールと内部に組立てられた接続部材が用いられる。接続部材はネジを締めることで取付けられる。しがしながら、留めネジは締めるために皿頭が必要であり、角柱にあるガイド溝を通り抜けなければならない。従って、そのネジが通り抜けられるようにそのガイド溝は一部が切り欠かれており、その結果、安全性に問題が生じる可能性がある。例えば、他の隣接した支持材の接続部の動作点が正に上記溝の切欠部に位置すると、その接続点は実際は接続されない、又は正しく接続されない問題がある。展示支持材の場合、支持構造の接続不良は人身傷害を引き起こす可能性がある。
【発明の開示】
【発明が解決しようとする課題】
【０００３】
本発明は、展示設備の組立を容易にし、その展示設備の安全性及び信頼性を高める分割取付け式角柱組立品を提供する。
【課題を解決するための手段】
【０００４】
本発明は以下の技術的基本構想を採用している。
【０００５】
角柱１と嵌入式支持フレーム２と接続ロック３とを備えた展示設備用の分割取付け式角柱組立品であって、
接続ロック３は嵌入式支持フレーム２内に位置して取外し可能であり、
嵌入式支持フレーム２は角柱１内に位置して取外し可能であり、その角柱１の外表面の少なくとも一面に接続用溝１１があり、
複数の位置決め孔１２が角柱１の外表面上の接続用溝１１部分より外側の領域に形成され、
嵌入式支持フレーム２は、支持フレーム本体２１と、弾性的に付勢されたバネ式の位置決めピン２２と、ピン保持部２３とを備え、位置決めピン２２はピン保持部２３に保持され、
初期状態では、位置決めピン２２はピン保持部２３から突出しており、そのピン保持部２３が前記支持フレーム本体２１に存在することによって、その嵌入式支持フレーム２が角柱１に対し嵌入され又は離脱される際に、弾性的に付勢された位置決めピン２２は、前記角柱１の位置決め孔１２を通る移動経路をたどることができる。
【発明の効果】
【０００６】
従来技術に比べ、本発明には以下のような長所がある。
（１）本発明では、角柱と嵌入式支持フレームの接続は、接続用溝が形成された部分の外側で行われ、その接続用溝は展示設備の他の部分と接続することを意図している。そのため、本発明は接続用溝の完全性を確かなものとし、その結果その展示装置が組立てられるとき、接続用溝の組立て孔ないし切欠の影響を考慮する必要がなく、前記接続用溝のどの位置でも信頼できる接続ができる。その結果、本発明は展示設備の組立てを容易にし、その展示設備の安全性及び信頼性を高めることができる。
（２）角柱を構成するプレートは取外し可能に接続されており、そのため展示設備の組立てをより便利にしている。
（３）本発明はバネ式の位置決めピンを接続のために採用しており、このバネ式のピンは内部の接続部（挿入部）と角柱外側面との間の正確な接続を行うことが可能であり、それにより必要な正確さを確保する。さらには、複雑な形（例えば、厚さが不均一な壁、半分閉じた開口部、傾斜した片持ち梁、傾斜のある面など）に形成するよりも、角柱の外壁に位置決め孔を形成する方がずっと簡単であるというのは周知の事実である。バネ式のピン構造を採用することにより、外側の仕上がった表面に孔又は生産工程用孔を開けることを避けることもできる。また貫通した位置決め孔の場合、その取付後においては、このピン構造が角柱に形成された位置決め孔を塞ぐ形になるため、外観の完成度を最大限に増すことができる。さらに、そのピン構造の取付け位置は接続用溝の接合部の近傍にすることができるため、その構造により接合部の右及び左表面の仕上げに悪影響を与えることを可能な限り避けることができる。
【実施例】
【０００７】
角柱１と嵌入式支持フレーム２と接続ロック３とを備えた展示設備用の分割取付け式角柱組立品であって、
接続ロック３は嵌入式支持フレーム２内に位置して取外し可能であり、
嵌入式支持フレーム２は角柱１内に位置して取外し可能であり、その角柱１の外表面の少なくとも一面に接続用溝１１があり、
複数の位置決め孔１２が角柱１の外表面上の接続用溝１１部分より外側の領域に形成され、
嵌入式支持フレーム２は、支持フレーム本体２１と、弾性的に付勢されたバネ式の位置決めピン２２と、ピン保持部２３とを備え、位置決めピン２２はピン保持部２３に保持され、
初期状態では、位置決めピン２２はピン保持部２３から突出しており、そのピン保持部２３が前記支持フレーム本体２１に存在することによって、その嵌入式支持フレーム２が角柱１に対し嵌入され又は離脱される際に、弾性的に付勢された位置決めピン２２は、角柱１の位置決め孔１２を通る移動経路をたどることができる。
バネ式の位置決めピン２２は、ピン２２１とバネ２２２とを備え、バネ２２２はピン２２１とピン保持部２３との間に配設される。
このバネ式位置決めピン２２は他のどんな技術的思想と共にも実行されることができる（図５参照）。
この実施例では、支持フレーム本体２１に形成されたガイドフレーム２４と、接続ロック３を開閉する工具のための、ガイドフレーム２４に形成された複数の工具ガイド孔２４１と、工具ガイド孔２４１に対応する位置において角柱１に形成された複数の工具挿入孔１３とを備える。
また角柱１は互いに接続された複数のプレートから構成され、それらプレートの少なくとも１枚が隣接するプレートから取外し可能な接続部を備える。
その取外し可能な接続部は以下のどちらの形もとることができる。
（１）取外し可能な接続部は、所定のプレートの雄ネジ孔及びもう1枚のプレートの雌ネジ孔を含む。
（２）取外し可能な接続部は、隣接するプレート上のT形溝１４１，１４２と、H形ソケット部材１４３とを含み、H形ソケット部材１４３は隣接するプレートのT字形溝１４１，１４２にまたがって挿入される。
【図面の簡単な説明】
【０００８】
【図１】本発明実施例の構造の断面図。
【図２】本発明実施例の構造の左面図。
【図３】本発明実施例の構造の部分断面図。
【図４】本発明実施例における嵌入式支持フレームの構造を示す図。
【図５】本発明の別の実施例における嵌入式支持フレームの構造を示す図。
【図６】本発明のさらに別の実施例における嵌入式支持フレームの構造を示す図。
【符号の説明】
【０００９】
１          角柱
１１      接続用溝
１２      位置決め孔
１３      工具挿入孔
１４１  T形溝
１４２  T形溝
１４３  H形ソケット部材
２          嵌入式支持フレーム
２１      支持フレーム本体
２２      位置決めピン
２２１  ピン
２２２  バネ
２３      ピン保持部
２４      ガイドフレーム
２４１  工具ガイド孔
３          接続ロック
【図１】
2008517191.tif 000003
【図２】
2008517191.tif 000004
【図３】
2008517191.tif 000005
【図４】
2008517191.tif 000006
【図５】
2008517191.tif 000007
【図６】
2008517191.tif 000008
【国際調査報告】
2008517191.tif 000009
2008517191.tif 000010
2008517191.tif 000011
2008517191.tif 000012